(57)【要約】  【課題】  噴射ノズルから噴射された水によりシール機能が低下すること無く、扉開口部近傍での漏水を防止することができる食器洗い機を提供する。  【解決手段】  食器を出し入れする開口部を開閉する扉７を有し、扉７を閉じた状態で洗浄槽２内に供給した水を食器に対して噴射する食器洗い機において、扉７を閉じた状態で扉７と洗浄槽２の側部９との間をシールするシール部材１３と、扉７を閉じた状態で、扉７の内面側端部から洗浄槽２側へ突出したリブ１１と、洗浄槽２の側部９の内面であり、扉７を閉じた状態でのリブ１１の端部の近傍に、上下方向に形成してある溝部２１とを備える。【選択図】      図２
2006296514.tif 000002
【特許請求の範囲】
【請求項１】
食器を出し入れする開口部を開閉する扉を有し、該扉を閉じた状態で洗浄槽内に供給した水を食器に対して噴射する食器洗い機において、
前記扉を閉じた状態で該扉と前記洗浄槽の側部との間をシールするシール部材と、
前記扉を閉じた状態で、前記扉の内面側端部から前記洗浄槽側へ突出したリブと、
前記洗浄槽の側部の内面であり、前記扉を閉じた状態での前記リブの端部の近傍に、上下方向に形成してある溝部と
を備えることを特徴とする食器洗い機。
【請求項２】
前記溝部を形成する側壁は、前記扉側の部分が前記洗浄槽側の部分よりも洗浄槽側へ突出した段差を形成していることを特徴とする請求項１記載の食器洗い機。
【請求項３】
前記溝部を形成する前記扉側の側壁の端部に沿って突出した他のリブを備えることを特徴とする請求項１又は２記載の食器洗い機。
【発明の詳細な説明】
【技術分野】
【０００１】
本発明は、洗浄槽内で噴射される洗浄水の開口部からの漏水を防止するシール部材の劣化及びそれに伴うシール機能の低下を防止することができる食器洗い機に関する。
【背景技術】
【０００２】
図５は、従来の食器洗い機の右側面から見た要部構成を模式的に示す側断面図であり、図６は、従来の食器洗い機の扉を閉じた状態での扉近傍の構成を模式的に示す部分側断面図である。食器洗い機は、洗浄する食器（図示せず）を収納する洗浄槽２を筐体１の内部に設けており、洗浄槽２の内部には、食器が載せられる食器受具３と、食器受具３の下側に配置され、食器受具３に載せられた食器に向けて水を噴射する複数の回転可能な噴射ノズル４、４と、洗浄水を加熱するヒータ５と、ヒータ５を覆うヒータカバー６とを備えている。
【０００３】
食器の洗浄時には、洗浄槽２の開口部を、例えば上下方向に移動可能な扉７で閉止状態とし、複数の噴射ノズル４、４から水が噴射される。噴射された水は、食器に当たり洗浄槽２の下方へ流れ落ちるとともに、食器に当たらなかった水は洗浄槽２の側部９に直接当たり、側部９に沿って流れ落ちる。扉７と洗浄槽２との間は、弾性部材であるシール部材１３によりシール部１２でシールされており、側部９に沿って流れる水が扉７から外部へ漏れ出ることを防止している。
【０００４】
従来の食器洗い機では、外部への漏水をより確実に防止すべく、複数の噴射ノズル４、４から噴射された水１０が、シール部１２に直接当たらないように、扉７の内面にシール部１２を覆うようなリブ１１を設けている。複数の噴射ノズル４、４から噴射された水１０は、リブ１１に直接当たり、シール部１２へは側部９に沿って流れ落ちる水だけが流入する。したがって、シール部１２に噴射された水１０の圧力が直接加わることがなく、外部への漏水をより確実に防止することができる（特許文献１参照）。
【特許文献１】特開２０００−１５７４７６号公報
【発明の開示】
【発明が解決しようとする課題】
【０００５】
しかし、水を噴射する複数の噴射ノズル４、４は、洗浄槽２内に供給される洗浄水を効率良く循環させるために、通常は洗浄槽２の下方に配設してある。したがって、洗浄槽２の上方に載置してある食器を洗浄するためには、相当の水圧で水を噴射する必要がある。また、上方に向けて噴射された水が、食器に当たることなく洗浄槽２の側壁２に直接当たる場合、側部９に対して所定の角度で当たることになる。
【０００６】
このため、食器に当たることなく洗浄槽２の側部９に直接当たった水は、相当の圧力を維持した状態で側部９に沿って流れる。特に、複数の噴射ノズル４、４から噴射され、シール部１２に直接当たらないようにシール部１２を覆うように設けられているリブ１１の手前で側部９に直接当たった水１０は、相当の圧力を維持した状態でリブ１１と側壁９との間に流れ込み、シール部１２へ相当の圧力を付与することになる。したがって、シール部１２に直接水が噴射された場合と同様、水圧によりシール部材１３が押し下げられ、シールが不完全になることで、流れ込んだ水が外部へ漏出するおそれがあるという問題点があった。
【０００７】
また、リブ１１と側部９との間に噴射された水が流れ込むことにより、シール部１２の近傍に常時水が充満する状態となることから、シール部材１３の劣化が早まり、シール機能が低下するおそれがあり、シール性能を高く維持し続けることが困難であるという問題点もあった。
【０００８】
本発明は、斯かる事情に鑑みてなされたものであり、噴射ノズルから噴射された水によりシール機能が低下すること無く、扉開口部近傍での漏水を防止することができる食器洗い機を提供することを目的とする。
【課題を解決するための手段】
【０００９】
上記目的を達成するために本発明に係る食器洗い機は、食器を出し入れする開口部を開閉する扉を有し、該扉を閉じた状態で洗浄槽内に供給した水を食器に対して噴射する食器洗い機において、前記扉を閉じた状態で該扉と前記洗浄槽の側部との間をシールするシール部材と、前記扉を閉じた状態で、前記扉の内面側端部から前記洗浄槽側へ突出したリブと、前記洗浄槽の側部の内面であり、前記扉を閉じた状態での前記リブの端部の近傍に、上下方向に形成してある溝部とを備えることを特徴とする。
【００１０】
本発明においては、上下方向に開閉する扉の内面に、扉を閉じた状態で扉と洗浄槽の側部との間をシールするシール部材と、扉を閉じた状態で、扉の内面側端部から洗浄槽側へ突出したリブと、扉を閉じた状態でのリブの端部の近傍に、上下方向に形成した溝部を備える。これにより、リブ近傍の側部へ直接噴射された水は、溝部によって方向が変わり、水圧が大きく減圧される。したがって、リブと洗浄槽の側部との間に噴射された水が流れ込む水量を減少させることができ、流れ込んだ場合であっても、噴射時よりも水圧が大きく減圧されていることから、シール部材に大きな負荷を加えることが無く、シール部材のシール性能を劣化させ、シール機能が低下するおそれが少ない。
【００１１】
また、本発明に係る食器洗い機は、前記溝部を形成する側壁は、前記扉側の部分が前記洗浄槽側の部分よりも洗浄槽側へ突出した段差を形成していることを特徴とする。
【００１２】
本発明においては、溝部を形成する側壁は、扉側の部分の方が洗浄槽側の部分よりも洗浄槽側へ突出した段差を形成してある。これにより、噴射ノズルから噴射された水の方向が溝部で変わった場合であっても、扉側の側壁に当たってさらに方向を変えることにより、リブと洗浄槽の側部との間に流れ込む水量を大きく減少させることができる。したがって、リブと洗浄槽の側部との間に噴射された水が流れ込む水量を大きく減少させることができ、流れ込んだ場合であっても、噴射時よりも水圧が大きく減圧されていることから、シール部材に大きな負荷を加えることが無く、シール部材のシール性能を劣化させ、シール機能が低下するおそれが少ない。
【００１３】
また、本発明に係る食器洗い機は、前記溝部を形成する前記扉側の側壁の端部に沿って突出した他のリブを備えることを特徴とする。
【００１４】
本発明においては、溝部を形成する扉側の側壁の端部に沿って突出した他のリブを備える。これにより、噴射ノズルから噴射された水の方向が溝部で変わった場合であっても、扉側の他のリブに当たってさらに方向を変えることにより、リブと洗浄槽の側部との間に流れ込む水量を大きく減少させることができる。したがって、リブと洗浄槽の側部との間に噴射された水が流れ込む水量を大きく減少させることができ、流れ込んだ場合であっても、噴射時よりも水圧が大きく減圧されていることから、シール部材に大きな負荷を加えることが無く、シール部材を劣化させ、シール機能を低下させるおそれが少ない。
【発明の効果】
【００１５】
本発明によれば、リブ近傍の側部へ直接噴射された水は、溝部によって方向が変わり、水圧が大きく減圧される。したがって、リブと洗浄槽の側部との間に噴射された水が流れ込む水量を減少させることができ、流れ込んだ場合であっても、噴射時よりも水圧が大きく減圧されていることから、シール部材に大きな負荷を加えることが無く、開口部からの外部への漏水を防止することができ、シール部材の劣化、及びそれに伴うシール機能の低下を防止することができるという優れた効果を奏する。
【発明を実施するための最良の形態】
【００１６】
以下、本発明をその実施の形態を示す図面に基づいて詳述する。
【００１７】
（実施の形態１）
図１は本発明の実施の形態１に係る食器洗い機の右側面から見た要部構成を模式的に示す側断面図であり、図２は、本発明の実施の形態１に係る食器洗い機の扉を閉じた状態での扉近傍の構成を模式的に示す部分側断面図である。なお、従来の食器洗い機と同様の構成要素については、同一の符号を付する。
【００１８】
本実施の形態１に係る食器洗い機は、洗浄する食器（図示せず）を収納する洗浄槽２を筐体１の内部に設けており、洗浄槽２の内部には、食器が載せられる食器受具３と、食器受具３の下側に配置され、食器受具３に載せられた食器に向けて水を噴射する複数の回転可能な噴射ノズル４、４と、洗浄水を加熱するヒータ５と、ヒータ５を覆うヒータカバー６とを備えている。
【００１９】
食器の洗浄時には、洗浄槽２の開口部を、上下方向に移動可能な扉７で閉止状態とし、複数の噴射ノズル４、４から水が噴射される。噴射された水は、食器に当たり洗浄槽２の下方へ流れ落ちるとともに、食器に当たらなかった水は洗浄槽２の側部９に直接当たり、側部９に沿って流れ落ちる。扉７と洗浄槽２との間は、弾性部材であるシール部材１３によりシール部１２でシールされており、側部９に沿って流れる水が扉７から外部へ漏れ出ることを防止している。
【００２０】
本実施の形態１に係る食器洗い機では、外部への漏水をより確実に防止すべく、複数の噴射ノズル４、４から噴射された水１０が、シール部１２に直接当たらないように、扉７の内面にシール部１２を覆うようなリブ１１を設けている。また、リブ１１の端部近傍に、複数の噴射ノズル４、４から噴射された水１０の方向を変えることが可能な溝部２１を設けている。
【００２１】
複数の噴射ノズル４、４から噴射された水１０は、一部は食器に直接当たり、洗浄槽２の下部へ流れ落ちる。また一部は、リブ１１へ直接当たり、洗浄槽２内へ還流される。
【００２２】
リブ１１の端部近傍に噴射された水１０は、リブ１１の端部近傍に設けてある溝部２１へ当たり、溝部２１を形成している側壁及び底面で水の方向が変化し、水圧が大きく減少する。したがって、噴射された水１０の方向が変化することによりリブ１１と洗浄槽２の側部９との間に噴射された水が流れ込む可能性が低くなり、万一流れ込んだ場合であっても水圧が大きく減少していることから、シール部１２に噴射された水１０の圧力が直接加わることがない。
【００２３】
以上のように本実施の形態１によれば、リブと洗浄槽の側部との間に噴射された水が流れ込む水量を減少させることができ、流れ込んだ場合であっても、噴射時よりも水圧が大きく減圧されていることから、シール部材に大きな負荷を加えることが無く、開口部からの外部への漏水を防止することができ、シール部材の劣化、及びそれに伴うシール機能の低下を防止することが可能となる。
【００２４】
（実施の形態２）
図３は、本発明の実施の形態２に係る食器洗い機の扉を閉じた状態での扉近傍の構成を模式的に示す部分側断面図である。なお、従来の食器洗い機と同様の構成要素については、同一の符号を付する。
【００２５】
本実施の形態２に係る食器洗い機は、洗浄する食器（図示せず）を収納する洗浄槽２を筐体１の内部に設けており、洗浄槽２の内部には、食器が載せられる食器受具３と、食器受具３の下側に配置され、食器受具３に載せられた食器に向けて水を噴射する複数の回転可能な噴射ノズル４、４と、洗浄水を加熱するヒータ５と、ヒータ５を覆うヒータカバー６とを備えている。
【００２６】
食器の洗浄時には、洗浄槽２の開口部を、上下方向に移動可能な扉７で閉止状態とし、複数の噴射ノズル４、４から水が噴射される。噴射された水は、食器に当たり洗浄槽２の下方へ流れ落ちるとともに、食器に当たらなかった水は洗浄槽２の側部９に直接当たり、側部９に沿って流れ落ちる。扉７と洗浄槽２との間は、弾性部材であるシール部材１３によりシール部１２でシールされており、側部９に沿って流れる水が扉７から外部へ漏れ出ることを防止している。
【００２７】
本実施の形態２に係る食器洗い機では、外部への漏水をより確実に防止すべく、複数の噴射ノズル４、４から噴射された水１０が、シール部１２に直接当たらないように、扉７の内面にシール部１２を覆うようなリブ１１を設けている。また、リブ１１の端部近傍に、複数の噴射ノズル４、４から噴射された水１０の方向を変えることが可能な溝部２１を設けている。
【００２８】
さらに、溝部２１を形成している扉７側の側壁２２と洗浄槽２側の側壁２３との間に段差Δｈを設けている。すなわち、側壁２２の方が側壁２３よりも洗浄槽２側へ突出するように段差を設けている。
【００２９】
複数の噴射ノズル４、４から噴射された水１０は、一部は食器に直接当たり、洗浄槽２の下部へ流れ落ちる。また一部は、リブ１１へ直接当たり、洗浄槽２内へ還流される。
【００３０】
リブ１１の端部近傍に噴射された水１０は、リブ１１の端部近傍に設けてある溝部２１へ当たり、例えば溝部２１を形成している底面に当たった後、扉７側の側壁２２にも当たって水の方向が変化し、水圧が大きく減少する。したがって、噴射された水１０の方向が大きく変化することによりリブ１１と洗浄槽２の側部９との間に噴射された水が流れ込む可能性がより低くなり、万一流れ込んだ場合であっても水圧が大きく減少していることから、シール部１２に噴射された水１０の圧力が直接加わることがない。
【００３１】
以上のように本実施の形態２によれば、リブと洗浄槽の側部との間に噴射された水が流れ込む水量を大きく減少させることができ、流れ込んだ場合であっても、噴射時よりも水圧が大きく減圧されていることから、シール部材に大きな負荷を加えることが無く、開口部からの外部への漏水を防止することができ、シール部材の劣化、及びそれに伴うシール機能の低下を防止することが可能となる。
【００３２】
（実施の形態３）
図４は、本発明の実施の形態３に係る食器洗い機の扉を閉じた状態での扉近傍の構成を模式的に示す部分側断面図である。なお、従来の食器洗い機と同様の構成要素については、同一の符号を付する。
【００３３】
本実施の形態３に係る食器洗い機は、洗浄する食器（図示せず）を収納する洗浄槽２を筐体１の内部に設けており、洗浄槽２の内部には、食器が載せられる食器受具３と、食器受具３の下側に配置され、食器受具３に載せられた食器に向けて水を噴射する複数の回転可能な噴射ノズル４、４と、洗浄水を加熱するヒータ５と、ヒータ５を覆うヒータカバー６とを備えている。
【００３４】
食器の洗浄時には、洗浄槽２の開口部を、上下方向に移動可能な扉７で閉止状態とし、複数の噴射ノズル４、４から水が噴射される。噴射された水は、食器に当たり洗浄槽２の下方へ流れ落ちるとともに、食器に当たらなかった水は洗浄槽２の側部９に直接当たり、側部９に沿って流れ落ちる。扉７と洗浄槽２との間は、弾性部材であるシール部材１３によりシール部１２でシールされており、側部９に沿って流れる水が扉７から外部へ漏れ出ることを防止している。
【００３５】
本実施の形態３に係る食器洗い機では、外部への漏水をより確実に防止すべく、複数の噴射ノズル４、４から噴射された水１０が、シール部１２に直接当たらないように、扉７の内面にシール部１２を覆うようなリブ１１を設けている。また、リブ１１の端部近傍に、複数の噴射ノズル４、４から噴射された水１０の方向を変えることが可能な溝部２１を設けている。
【００３６】
さらに、溝部２１を形成している扉７側の側壁２２に、洗浄槽２側へ突出したリブ２４を設けている。すなわち、溝部を形成する扉７側の側壁２２に設けたリブ２４の方が洗浄槽２側の側壁２３よりも洗浄槽２側へ突出するようになっている。
【００３７】
複数の噴射ノズル４、４から噴射された水１０は、一部は食器に直接当たり、洗浄槽２の下部へ流れ落ちる。また一部は、リブ１１へ直接当たり、洗浄槽２内へ還流される。
【００３８】
リブ１１の端部近傍に噴射された水１０は、リブ１１の端部近傍に設けてある溝部２１へ当たり、例えば溝部２１を形成している底面に当たった後、扉７側の側壁２２又はリブ２４にも当たって水の方向が変化し、水圧が大きく減少する。したがって、噴射された水１０の方向が大きく変化することによりリブ１１と洗浄槽２の側部９との間に噴射された水が流れ込む可能性がより低くなり、万一流れ込んだ場合であっても水圧が大きく減少していることから、シール部１２に噴射された水１０の圧力が直接加わることがない。
【００３９】
以上のように本実施の形態３によれば、リブと洗浄槽の側部との間に噴射された水が流れ込む水量を大きく減少させることができ、流れ込んだ場合であっても、噴射時よりも水圧が大きく減圧されていることから、シール部材に大きな負荷を加えることが無く、開口部からの外部への漏水を防止することができ、シール部材の劣化、及びそれに伴うシール機能の低下を防止することが可能となる。
【００４０】
なお、上述した実施の形態１乃至３では、食器を出し入れする開口部を開閉する扉が、上下方向に移動可能な扉である場合について説明しているが、扉の開閉方向、構成については、特に上下方向に移動可能な扉に限定されるものではなく、例えば左右いずれかに回転軸を有する回転可能な扉であっても同様の効果が期待できる。また、上述した実施の形態１乃至３は、食器洗い機の機能を含む複合機でも同様の効果を奏することができ、例えば食器洗い乾燥機においても同様の効果を奏することが可能となる。
【図面の簡単な説明】
【００４１】
【図１】本発明の実施の形態１に係る食器洗い機の右側面から見た要部構成を模式的に示す側断面図である。
【図２】本発明の実施の形態１に係る食器洗い機の扉を閉じた状態での扉近傍の構成を模式的に示す部分側断面図である。
【図３】本発明の実施の形態２に係る食器洗い機の扉を閉じた状態での扉近傍の構成を模式的に示す部分側断面図である。
【図４】本実施の形態３に係る食器洗い機の扉を閉じた状態での扉近傍の構成を模式的に示す部分側断面図である。
【図５】従来の食器洗い機の右側面から見た要部構成を模式的に示す側断面図である。
【図６】従来の食器洗い機の扉を閉じた状態での扉近傍の構成を模式的に示す部分側断面図である。
【符号の説明】
【００４２】
１  筐体
２  洗浄槽
４  噴射ノズル
５  ヒータ
６  ヒータカバー
７  扉
９  側部
１１  リブ
１２  シール部
１３  シール部材
２１  溝部
２２、２３  側壁
２４  （他の）リブ
【図１】
2006296514.tif 000003
【図２】
2006296514.tif 000004
【図３】
2006296514.tif 000005
【図４】
2006296514.tif 000006
【図５】
2006296514.tif 000007
【図６】
2006296514.tif 000008